(57)【要約】【課題】  ３ピンタイプのコネクタを介してコンデンサマイクロホンをファントム電源などの外部機器に接続するマイクロホンケーブルにおいて、そのコネクタ部分に電磁波による高周波電流が入り込まないようにする。【解決手段】  ホット側信号線２１ｈ，コールド側信号線２１ｃの２線がシールド線２１ｅで被覆されているケーブル本体２１と、金属製のコネクタケース３１内にシールド線２１ｅと接続される１番ピン３２ｅ，ホット側信号線２１ｈと接続される２番ピン３２ｈおよびコールド側信号線２１ｃと接続される３番ピン３２ｃを備えているコネクタ３０とを含み、ケーブル本体２１の両端にコネクタ３０をそれぞれ接続してなるマイクロホンケーブルにおいて、シールド線２１ｅをコネクタケース３１に直接的に接続するとともに、１番ピン３２ｅを高周波チョークコイル４１を介してコネクタケース３１に接続する。【選択図】  図１
2006217139.tif 000002
【特許請求の範囲】
【請求項１】
ホット側信号線およびコールド側信号線の２線がシールド線で被覆されているケーブル本体と、金属製のコネクタケース内に上記シールド線と接続される１番ピン，上記ホット側信号線と接続される２番ピンおよび上記コールド側信号線と接続される３番ピンを備えているコネクタとを含み、上記ケーブル本体の両端に上記コネクタをそれぞれ接続してなるマイクロホンケーブルにおいて、
上記シールド線が上記コネクタケースに直接的に接続されているとともに、上記１番ピンが高周波チョークコイルを介して上記コネクタケースに接続されていることを特徴とするマイクロホンケーブル。
【発明の詳細な説明】
【技術分野】
【０００１】
本発明は、コンデンサマイクロホン用のマイクロホンケーブルに関し、さらに詳しく言えば、電磁波対策を施したマイクロホンケーブルに関するものである。
【背景技術】
【０００２】
コンデンサマイクロホンは、マイクロホンケーブルを介してファントム電源やミキサ回路などの外部機器と接続して使用される。コンデンサマイクロホン用のマイクロホンケーブルは平衡シールド被覆線であるため、コンデンサマイクロホンに対してマイクロホンケーブルを着脱可能とする際には、それに適合したコネクタが用いられる。
【０００３】
図２に、コンデンサマイクロホンのパワーモジュール部１０に対して、マイクロホンケーブル２０をコネクタ３０を介して着脱可能とした例を示す。パワーモジュール部１０は円筒状のシールドケース１１を有し、その内部には図示しない音声出力回路や成極電圧発生回路などが実装された回路基板１２が収納されているとともに、シールドケース１１の一端側にコネクタ３０のためのソケット部１３を備えている。
【０００４】
なお、コンデンサマイクユニットは図示されていないが、この例において、コンデンサマイクユニットはシールドケース１１の他端側から引き出される同じく図示しないマイクコードを介して上記回路基板１２と接続される。
【０００５】
図３に示すように、マイクロホンケーブル２０は平衡シールド被覆線であって、ホット側信号線２１ｈとコールド側信号線２１ｃとをシールド線２１ｅにて被覆してなるケーブル本体２１を有し、ケーブル本体２１の両端にコネクタ３０，３０を備えている。
【０００６】
この場合、一方（図３において左側）のコネクタ３０がマイクロホンとの接続用で、他方（図３において右側）のコネクタ３０が外部機器との接続用であり、一方のコネクタ３０の端子がジャック端子で他方のコネクタ３０の端子がプラグ端子である点を除いて、ともにＪＥＩＴＡ（社団法人日本電子機械工業会）ＲＣ−５２３６「音響機器用ラッチロック式丸型コネクタ」で規定される３ピンタイプのコネクタである。
【０００７】
すなわち、各コネクタ３０ともに、１番ピン３２ｅ，２番ピン３２ｈおよび３番ピン３２ｃの３本のピンを有し、これらの各ピンは金属製のコネクタケース３１内に配置されている。１番ピン３２ｅは接地用でシールド線２１ｅと接続される。２番ピン３２ｈは信号のホット側でホット側信号線２１ｈと接続される。３番ピン３２ｃは信号のコールド側でコールド側信号線２１ｃと接続される。コネクタケース３１はジャンパ線や板バネなどを介して１番ピン３２ｅと接続されシールドとして機能する。
【０００８】
コネクタ３０をパワーモジュール部１０のソケット部１３に差し込むことにより、１番ピン３２ｅ，２番ピン３２ｈ，３番ピン３２ｃと、ソケット部１３に設けられている３本のプラグ（図２は断面図であるため、そのうちの２本のプラグ１３ｅ，１３ｈのみが示されている。）とが接続するとともに、コネクタケース３１はシールドケース１１の内面と接触する。図示しない外部機器側においても、同様な接続がとられる。
【０００９】
これにより、コネクタケース３１はマイクロホン側のシールドと外部機器側のシールドとともにシールドを構成することになるが、上記したように、従来ではコネクタケース３１を接地用の１番ピン３２ｅに対してジャンパ線や板バネなどを介して電気的に接続するようにしているため、ケーブル本体２１とのシールドは十分とは言えない。
【００１０】
したがって、例えば携帯電話機が近傍で使用され、そこからの強い電磁波が浴びせられると、コネクタケース３１内に高周波電流が入り込み、その高周波電流が静電的に結合して信号線２１ｈ，２１ｃに乗り移ったり、接地用の１番ピン３１ｅに流れ込み、これがマイクロホンや外部機器にて検波されて雑音を発生することがある。この問題は、特に携帯電話機の急速な普及に伴って大きく取り上げられている。
【発明の開示】
【発明が解決しようとする課題】
【００１１】
したがって、本発明の課題は、平衡シールド被覆線で３ピンタイプのコネクタを介してコンデンサマイクロホンをファントム電源やミキサ回路などの外部機器に接続するマイクロホンケーブルにおいて、そのコネクタ部分に電磁波による高周波電流が入り込まないようにすることにある。
【課題を解決するための手段】
【００１２】
上記課題を解決するため、本発明は、ホット側信号線およびコールド側信号線の２線がシールド線で被覆されているケーブル本体と、金属製のコネクタケース内に上記シールド線と接続される１番ピン，上記ホット側信号線と接続される２番ピンおよび上記コールド側信号線と接続される３番ピンを備えているコネクタとを含み、上記ケーブル本体の両端に上記コネクタをそれぞれ接続してなるマイクロホンケーブルにおいて、上記シールド線が上記コネクタケースに直接的に接続されているとともに、上記１番ピンが高周波チョークコイルを介して上記コネクタケースに接続されていることを特徴としている。
【発明の効果】
【００１３】
本発明によれば、ケーブル本体のシールド線をコネクタケースに例えばハンダ付けなどにより直接的に接続するようにしたことにより、ケーブル本体に加えられた電磁波によって発生する高周波電流はケーブル本体のシールド線から直接にコネクタケースの表面へと流されるため、コネクタケース内に高周波電流が流れ込むことはほとんどない。
【００１４】
また、１番ピンを高周波チョークコイルを介してコネクタケースに接続しているため、コネクタケース側から１番ピンに向けての高周波電流の流れ込みを確実に阻止することができる。これにより、外来電磁波に起因する雑音発生を防止することができる。
【発明を実施するための最良の形態】
【００１５】
次に、図１により本発明の実施形態について説明するが、本発明はこれに限定されるものではない。図１は本発明のマイクロホンケーブルを示す図３と同様の模式図である。図１において、先に図２および図３で説明した従来例と変更を要しない構成要素には、それと同じ参照符号を用いる。
【００１６】
図１において、本発明のマイクロホンケーブルは、その全体が参照符号２０Ａで示されている。このマイクロホンケーブル２０Ａは、ケーブル本体２１と、ケーブル本体２１の両端に接続されるコネクタ３０，３０とを備えており、図示しないコンデンサマイクロホンと、ファントム電源やミキサ回路などの外部機器との接続に用いられる。
【００１７】
ケーブル本体２１は、ホット側信号線２１ｈとコールド側信号線２１ｃとをシールド線２１ｅにて被覆してなる平衡シールド被覆線である。ケーブル本体２１の両端に接続されるコネクタ３０，３０は、ＪＥＩＴＡ（社団法人日本電子機械工業会）ＲＣ−５２３６「音響機器用ラッチロック式丸型コネクタ」で規定される３ピンタイプのコネクタである。
【００１８】
この例においても、一方（図１において左側）のコネクタ３０がマイクロホンとの接続用で、その端子にジャック端子が用いられ、他方（図１において右側）のコネクタ３０が外部機器との接続用で、その端子にプラグ端子が用いられているが、ジャック端子とするかプラグ端子とするかは、相手方の端子に応じて適宜選択されてよく、したがって双方ともジャック端子もしくはプラグ端子の組み合わせもあり得る。
【００１９】
上記ＪＥＩＴＡ  ＲＣ−５２３６によれば、各コネクタ３０ともに、１番ピン３２ｅ，２番ピン３２ｈおよび３番ピン３２ｃの３本のピンを有し、これらの各ピンは金属製のコネクタケース３１内に配置される。
【００２０】
ケーブル本体２１のホット側信号線２１ｈは２番ピン３２ｈに接続され、コールド側信号線２１ｃは３番ピン３２ｃに接続されるが、本発明によると、シールド線２１ｅはコネクタケース３１にハンダ付けなどにより直接的に接続され、１番ピン３２ｅは高周波チョークコイル４１を介してコネクタケース３１に接続される。
【００２１】
この構成によれば、ケーブル本体２１に加えられる電磁波によって発生する高周波電流は、ケーブル本体２１のシールド線２１ｅから直接コネクタケース３１に流れ、コネクタケース３１から１番ピン３２ｅには流れ込まない。したがって、マイクロホンや外部機器側にて高周波電流が検波されることがなく、雑音の発生が抑えられる。
【００２２】
なお、このマイクロホンケーブル２０Ａは、コンデンサマイクロホンと外部機器との接続だけでなく、例えば図２に示したパワーモジュール部１０にマイクコードを介して図示省略のコンデンサマイクロホンユニットを接続してなるタイピン型マイクロホンや会議用のグースネック型マイクロホンの上記マイクコードとしても用いることもできる。
【図面の簡単な説明】
【００２３】
【図１】本発明のマイクロホンケーブルを示す模式図。
【図２】コンデンサマイクロホンのパワーモジュール部とコネクタを有するマイクロホンケーブルとを分離して示す一部に断面を含む側面図。
【図３】図２のマイクロホンケーブルを示す模式図。
【符号の説明】
【００２４】
２０Ａ  マイクロホンケーブル
２１  ケーブル本体
２１ｈ  ホット側信号線
２１ｃ  コールド側信号線
２１ｅ  シールド線
３０  コネクタ
３１  コネクタケース
３２ｅ  接地用の１番ピン
３２ｈ  信号ホット側の２番ピン
３２ｃ  信号コールド側の３番ピン
４１  高周波チョークコイル
【図１】
2006217139.tif 000003
【図２】
2006217139.tif 000004
【図３】
2006217139.tif 000005